(57)【要約】【課題】    光熱費の削減及び効率の良い冷暖房運転をすることを図った空気調和機を提供する。【解決手段】  空気調和機の室外機内の冷媒配管の熱交換器近傍外周に水を流通可能なタンクを設け、冷媒の熱をタンクを流れる水により回収させると共に、回収後の温まった温水を貯湯タンク及び風呂等に利用して、温水温度上昇をより効率化でき、光熱費の削減になることを特徴とする空気調和機。【選択図】図９
2010127611.tif 000002
【特許請求の範囲】
【請求項１】
空気調和機の室外機内の冷媒配管の熱交換器近傍外周に水を流通可能なタンクを設け、冷媒の熱をタンクを流れる水により回収させるようにしたことを特徴とする空気調和機。
【請求項２】
前記タンクに、水とお湯を選択的に流すことができるようにしたことを特徴とする請求項１に記載の空気調和機。
【請求項３】
前記タンクの水入口配管に排水バルブを設けたことを特徴とする請求項１又は２に記載の空気調和機。
【発明の詳細な説明】
【技術分野】
【０００１】  本発明は、光熱費の削減及び効率の良い冷暖房運転をすることを図った空気調和機に関するものである。
【背景技術】
【０００２】  空気調和機は、室内に設置され、内部の熱交換器で冷媒と室内の空気との間で熱交換を行う室内機と、室内機と冷媒管を介して接続され、室内機で熱交換を行った冷媒と外気との熱交換を行う室外機とを備えている。そのような従来の空気調和機の室外機は、冷房運転において、冷媒配管の熱を送風により吹き出し口から放出させるようにしている。
【発明の開示】
【発明が解決しようとする課題】
【０００３】  しかしながら、そのようにして室外機内の冷媒配管の熱エネルギーを無駄に捨てているという問題点があった。【０００４】  本発明は、そのような問題点に鑑み、次のことを目的とするものである。
（イ）冷房運転において、室外機内の冷媒配管の熱エネルギーを有効利用すると共に、効率の良い冷房運転をする。
（ロ）暖房運転において、霜取りをすると共に、効率の良い暖房運転をする。
【課題を解決するための手段】
【０００５】  前記課題を解決するため、本願請求項１にかかる発明は、空気調和機の室外機内の冷媒配管の熱交換器近傍外周に水を流通可能なタンクを設け、冷媒の熱をタンクを流れる水により回収させるようにしたことを特徴とする。【０００６】  また、本願の請求項２にかかる発明は、請求項１にかかる発明において、前記タンクに、水とお湯を選択的に流すことができるようにしたことを特徴とする。【０００７】  また、本願の請求項３にかかる発明は、請求項１又は２にかかる発明において、前記タンクの水入口配管に排水バルブを設けたことを特徴とする。
【発明の効果】
【０００８】  本発明の空気調和機は、次のような効果を奏する。
すなわち、請求項１にかかる発明においては、空気調和機において、室外機内の冷媒配管の熱交換器近傍外周に水を流通可能なタンクを設け、冷媒の熱をタンクを流れる水により回収させるようにしたので、冷媒配管の内部の冷媒を冷却して冷房効率を上げ、冷却後の水温が上昇した水をお湯として有効利用することにより、光熱費のさらなる削減になる。【０００９】  また、本願の請求項２にかかる発明においては、請求項１にかかる空気調和機において、タンクに、水とお湯を選択的に流すことができるようにしたので、冬季に暖房運転するとき、タンクにお湯を流すことにより、冷媒配管の内部の冷えた冷媒を加熱して暖房効率を上げると共に、冷媒配管から室外熱交換器のフィンへの伝熱により室外機のフィンの霜取りにも効果がある。その湯として、風呂の残り湯を用いれば、さらに効率化できる。【００１０】  また、請求項３にかかる発明においては、請求項１又は２にかかる空気調和機において、室外機のタンクに、水入口及び水出口を設けて、水入口配管に排水バルブを設けたので排水バルブにより、冬季には、タンク及び配管内の水を排水して凍結を防止することができる。
【発明を実施するための最良の形態】
【００１１】  以下、本発明の実施するための形態を図１〜図１１に基づいて説明する。
【実施例】
【００１２】  図１は、空気調和機の構成図である。図１において、本発明の空気調和機は、従来と同様に室外機１，室内機２，冷媒配管３，信号線４にて構成されている。【００１３】  図２は、熱交換器の斜視図である。図２において、室外熱交換器５は、複数枚並設して設けられているフィン６に蛇行状に冷媒配管７が貫通している。冷房運転において、冷媒配管７の熱がフィン６に伝熱する構成になっている。【００１４】  図３は、空気調和機の室外機の冷房運転状態を示す断面図である。図３において、室外機１の冷房運転において、室外機１のファンモーター８が起動してファン９の回転により、外気は矢印の方向へ進む。外気は、室外機１内に吸い込まれ、図２に示す、室外熱交換器５の冷媒配管７及び冷媒配管７の伝熱により加熱されたフィン６に接触して通過することにより、図３に示すように、外気は矢印の方向へ熱風となって吹き出し口１０からで冷媒配管の熱を放出して無駄に捨てられている。【００１５】  図４は、本発明の四方弁から室外熱交換器に接続されている冷媒配管を覆うタンクの斜視図である。図４において、室外機室内の四方弁１１から室外熱交換器５へ接続している冷媒配管１２をタンク１３で覆うと共に、タンク１３の内部に送水する為の水入口１４及び水出口１５を設けている。【００１６】  図５は、本発明の室外熱交換器から膨張弁に接続されている冷媒配管を覆うタンクの斜視図である。図５において、室外機室内の膨張弁１６から室外熱交換器５へ接続している冷媒配管１７をタンク１８で覆うと共に、タンク１８の内部に送水する為の水入口１９及び水出口２０を設けている。【００１７】  図６は、本発明の四方弁に接続されている冷媒配管を覆うタンクの断面図である。図６において、タンク１３の内部の構造は、タンク内部を冷媒配管１２が貫通して、送水する為の水入口１４及び水出口１５を設けられている。タンク１８も同じ構造である。【００１８】  ここで、本発明の空気調和機の冷房サイクルについて説明する。図７は、本発明の空調機調和機の冷房サイクルを示す図である。図７において、冷房サイクルは、大きく分けると室外機１、室内機２で構成されている。室外機１内の圧縮機２１から吐出された冷媒は、四方弁１１を介して、冷房運転時はタンク１３を通り、室外熱交換器５を通って、もう一つのタンク１８を通り、膨張弁１６を通って、室内熱交換器２２を通り、四方弁１１を経て圧縮機２１に戻る。【００１９】  このような冷房サイクルにおいて、この空気調和機では、給水バルブ２３を開いて、二つのタンク１３及び１８へ送水すると、冷媒が二つのタンク１３及び１８を通過する際、タンク１３及び１８内の水道水により、タンクを貫通している冷媒配管内の冷媒の熱が冷却される。そのようにして冷媒が冷却されることにより、冷房効率は上がり節電となる。
逆に、タンク１３及び１８の内部の水道水の水温は冷媒の熱により上昇して、温水として貯湯タンク及び風呂等に利用する際に、温水温度上昇をより効率化でき光熱費の削減になる。【００２０】  図８は、本発明の空気調和機の暖房サイクルを示す図である。図８において、暖房運転時には、四方弁１１の動作により上記の冷房サイクルと逆のサイクルを進む。室外機１内の圧縮機２１から吐出された冷媒は四方弁１１を通り、室内熱交換器２２を通って、膨張弁１６を通り、タンク１８を通って、室外熱交換器５を通り、もう一つのタンク１２を通って、四方弁１１を経て圧縮機２１に戻る。【００２１】  このような暖房サイクルにおいて、この空気調和機では、浴槽２４内の揚水ポンプ２５により風呂の残り湯をタンク１３及び１８へ送水により、冷媒が二つのタンク１３及び１８を通過する際、タンクを貫通している冷媒配管内の冷えた冷媒を風呂の残り湯により加熱することができ、そのようにすれば、暖房効率を上げ節電となると共に、冷媒配管から室外熱交換器のフィンへの伝熱により室外熱交換器のフィンの霜取りにも効果がある。【００２２】  図９は、本発明の室外機において水の利用状態を示す斜視図である。図９において、冷房運転時には、給水バルブ２３を開いて、タンクの水入口１４及び１９へ水道水を送水することにより、冷媒配管内の冷媒の熱を水により冷却することができ、そのようにすれば、冷房効率を上げ節電となると共に、逆に、タンク１３及び１８内の水の水温は上昇して、温水として貯湯タンク及び風呂等に利用する際に、温水温度上昇をより効率化でき光熱費の削減になる。【００２３】  図１０は、室外機において風呂の残り湯の利用状態を示す斜視図である。図１０において、暖房運転時には、揚水ポンプ２５にて、タンクの水入口１４及び１９へ風呂の残り湯を送水することにより、冷媒配管内の冷えた冷媒を風呂の残り湯により加熱することができ、そのようにすれば、暖房効率を上げ節電となると共に、冷媒配管から室外熱交換器のフィンへの伝熱により室外熱交換器のフィンの霜取りにも効果がある。【００２４】  図１１は、本発明のタンクの配管に、排水バルブ及びリングの取り付け図である。図１１において、冷媒配管を覆うタンク１３の水入口１４配管及びタンク１８の水入口１９配管に、それぞれ排水バルブ２６，２７を設け、配管内の水を排水することにより凍結防止をする。さらに、室外機１のカバーを水入口１４，水出口１５，水入口１９，水出口２０の配管が貫通する部分にリング２８を設けて、配管を保護及び固定している。
【図面の簡単な説明】
【００２５】
【図１】空気調和機の構成図
【図２】室外機の熱交換器の斜視図
【図３】空気調和機の室外機の冷房運転状態を示す断面図
【図４】本発明の四方弁から室外熱交換器に接続されている冷媒配管を覆うタンクの斜視図
【図５】本発明の室外熱交換器から膨張弁に接続されている冷媒配管を覆うタンクの斜視図
【図６】本発明の四方弁に接続されている冷媒配管を覆うタンクの断面図
【図７】本発明の空気調和機の冷房サイクルを示す図
【図８】本発明の空気調和機の暖房サイクルを示す図
【図９】本発明の室外機において、水道水を温めて浴槽へ送水する使用状態を示す斜視図
【図１０】本発明の室外機において風呂の残り湯の利用状態を示す斜視図
【図１１】本発明のタンクの配管に、排水バルブ及びリングの取り付け図
【符号の説明】
【００２６】  １  室外機
２  室内機
３  冷媒配管
４  信号線
５  室外熱交換器
６  フィン
７  冷媒配管
８  モーター
９  ファンモーター
１０  吹き出し口
１１  四方弁
１２  冷媒配管
１３  タンク
１４  水入口
１５  水出口
１６  膨張弁
１７  冷媒配管
１８  タンク
１９  水入口
２０  水出口
２１  圧縮器
２２  室内熱交換器
２３  給水バルブ
２４  浴槽
２５  揚水ポンプ
２６，２７  排水バルブ
２８  リング
【図１】
2010127611.tif 000003
【図２】
2010127611.tif 000004
【図３】
2010127611.tif 000005
【図４】
2010127611.tif 000006
【図５】
2010127611.tif 000007
【図６】
2010127611.tif 000008
【図７】
2010127611.tif 000009
【図８】
2010127611.tif 000010
【図９】
2010127611.tif 000011
【図１０】
2010127611.tif 000012
【図１１】
2010127611.tif 000013